(57)【要約】【課題】  光源の仕様に制限されずに複数色の発光表示が行われるようにする。【解決手段】  ランプホルダ９に着脱される取付部１８と漏斗状の導光空間部２０と導光ブロック組付部２１とからなり光源８を覆うようにしてランプホルダ９に組み付けられるホルダ部材１０に、光透過性を有する合成樹脂材によって成形された多数本の棒状導光部材２２を束ねた導光ブロック体１１を組み付けて発光表示部５を構成する。導光部材２２に適宜の着色を施すことにより、光源８の仕様にかかわらず発光表示部５が色調を異にした発光表示を行うようにする。【選択図】  図２
2005085740.tif 000002
【特許請求の範囲】
【請求項１】
電源と接続される主電線から分岐接続された多数個のランプホルダにそれぞれ光源を装着してなり、上記主電線を装飾体の外周部に掛け巡らせて上記光源を点灯或いは点滅することによって上記装飾体を電飾する電飾装置において、
細径部位と太径部位とを漏斗状部位を介して一体化するとともに、上記細径部位を上記ランプホルダに着脱される取付部とするとともに漏斗状部位を導光空間部として太径部位を導光ブロック組付部として構成してなり、上記光源を覆うようにして上記取付部を介して上記ランプホルダに組み付けられるホルダ部材と、
光透過性を有する合成樹脂材によって成形された多数本の棒状導光部材を互いに平行状態にして束ねてなり、各導光部材の上記導光空間部と対向された一端側を受光端部として上記光源から出射された出射光を内部に導光するとともに上記組付部の開口部側に配列された他端側を発光端部として上記出射光を外部へと露光させる導光ブロック体とを備え、
上記光源と上記ホルダ部材及び上記導光ブロック体とにより多数個の発光表示部を構成するとともに、これら各発光表示部が適宜の色調に着色された上記各導光部材を束ねてなる上記導光ブロック体を備えることを特徴とする電飾装置。
【請求項２】
電源と接続される主電線から分岐接続された多数個のランプホルダにそれぞれ光源を装着してなり、上記主電線を装飾体の外周部に掛け巡らせて上記光源を点灯或いは点滅することによって上記装飾体を電飾する電飾装置において、
細径部位と太径部位とを漏斗状部位を介して一体化するとともに、上記細径部位を上記ランプホルダに着脱される取付部とするとともに漏斗状部位を導光空間部として太径部位を導光ブロック組付部として構成してなり、上記光源を覆うようにして上記取付部を介して上記ランプホルダに組み付けられるホルダ部材と、
光透過性を有する合成樹脂材によって成形された多数本の棒状導光部材を互いに平行状態にして束ねてなり、各導光部材の上記導光空間部と対向された一端側を受光端部として上記光源から出射された出射光を内部に導光するとともに上記組付部の開口部側に配列された他端側を発光端部として上記出射光を外部へと露光させる導光ブロック体とを備え、
上記光源と上記ホルダ部材及び上記導光ブロック体とによって多数個の発光表示部を構成するとともに、上記導光ブロック体が異なる色調に着色した多数本の上記各導光部材を束ねてなり、上記各発光表示部がそれぞれ複数色の発光による電飾を行うようにすることを特徴とする電飾装置。
【請求項３】
上記各発光表示部が、少なくとも上記導光ブロック組付部を適宜の外形形状に形成した上記各ホルダ部材を備えるとともに、それぞれの開口部において上記導光部材の発光端部を適宜の形状に配列して組み付けて構成されることを特徴とする請求項１又は請求項２に記載の電飾装置。
【発明の詳細な説明】
【技術分野】
【０００１】
本発明は、主電線から分岐接続された多数個の小型光源が設けられ、例えばクリスマスリースやクリスマスツリー等の装飾体の外周部に掛け巡らせられて飾られ、小型光源を点灯或いは点滅させることによって装飾物を電飾する電飾装置に関する。
【背景技術】
【０００２】
クリスマスには、様々な飾り付けが施されたクリスマスリースやクリスマスツリーが飾られ、人々の目を楽しませている。クリスマスリースやクリスマスツリーには、例えば外周部に多数個の小型発光体をちりばめ、これら小型発光体を点灯或いは点滅させて豪華な飾り付けを演出する電飾装置も取り付けられる。電飾装置は、従来種々提供されているが一般的な構造としてはトランス等を介して家庭用電源に接続される主電線の途中に分岐されてランプホルダを介して多数個の発光ダイオードや小型電球等の小型発光体が設けられてなる（例えば特許文献１、特許文献２）。
【０００３】
電飾装置においては、小型発光体として例えば赤色、緑色、黄色、青色或いは白色等の各種の発光色を有する発光ダイオードや、様々な色調の有色ガラスバルブを有する小型電球が用いられる。電飾装置は、クリスマスリースやクリスマスツリーの外周部で発光体が様々な色で点滅することでイルミネーション効果を高めるようにしている。
【０００４】
例えば特許文献３には、上述した形態のツリーライトでは無いが、主光源から出射される出射光を連続回転するカラーフィルタを介して光ファイバー束に入光するとともに各光ファイバーをツリーの枝先に分岐させてそれぞれの先端部を光輝させるようにしたクリスマスツリー用ファイバー装置が開示されている。かかる先願装置は、１個の光源によってツリーの様々な位置で多色発光を行うことが可能であり、光源数を減らしながらもイルミネーション効果が高められるといった特徴を有している。
【０００５】
また、特許文献４には、特にクリスマスツリー用とは限定されないが、星形をイメージする適宜に着色されたデコレーション部を有する電飾用キャップが開示されている。かかる電飾用キャップは、光源に取り付けることによって、星形の形状で所定の発光色を以って発光することで新しい興趣を創成する。
【０００６】
【特許文献１】特開２００３−１０３９９９号公報
【特許文献２】実用新案登録第３０７１１１３号公報
【特許文献３】特開２００２−１０９９０６号公報
【特許文献４】特開２００２−１１７７１２号公報
【発明の開示】
【発明が解決しようとする課題】
【０００７】
ところで、従来の一般的なクリスマスリース用等の電飾装置は、小型発光体の発光色や形状或いは大きさが発光ダイオードや小型電球等の小型光源によって制限されるために、ツリーに様々な工夫を凝らした飾り付け等を施しても、最も目立って強い印象を与えて折角の飾付けの効果を損なわせるといった問題があった。また、従来の電飾装置は、クリスマスリースやクリスマスツリーのイルミネーション効果を高めるためにはより多くの小型光源を接続することから、消費電力や発熱量も大きいといった問題があった。
【０００８】
上述した特許文献３のファイバー装置は、光源が１個であることから上述した問題点が解決されるが、カラーフィルタやこれを駆動するモータ等を備えることで構造が複雑であるとともに高価となる。また、ファイバー装置は、光源やカラーフィルタ或いはモータが幹内に収納される構造であることから、既存のツリーに用いることができないといった問題がある。
【０００９】
上述した特許文献４の電飾用キャップは、小型光源に直付けして用いることから、デコレーション部の大きさに制限がある。電飾用キャップは、大きなデコレーション部を形成した場合に、小型光源からの出射光が外周部まで行き渡らずデコレーション部が全体として均一に発光されず表示効果が低下するといった問題がある。また、電飾用キャップは、デコレーション部の明るさが低く、充分なイルミネーション効果を達成し得ないといった問題がある。
【００１０】
上述した従来の電飾装置においては、光源を点灯していない状態ではまったく目立たなくなることから、クリスマスリースやクリスマスツリーの装飾作用を奏し得ない。
【００１１】
したがって、本発明は、光源の仕様に制限されずに複数色の発光表示が行われるようにする構造簡易で廉価な電飾装置を提供することを目的に提案されたものである。
【課題を解決するための手段】
【００１２】
上述した目的を達成する本発明にかかる電飾装置は、電源と接続される主電線から分岐接続された多数個のランプホルダにそれぞれ光源を装着してなり、主電線を装飾体の外周部に掛け巡らせて飾り付けた状態で光源を点灯或いは点滅することによって装飾体を電飾する。電飾装置は、多数個の光源と、これら光源を覆うようにしてランプホルダにそれぞれ着脱自在に組み付けられるホルダ部材と、このホルダ部材の内部に組み込まれて光源から出射される出射光を効率的に導く導光ブロック体とによって多数個の発光表示部を構成する。電飾装置は、各ホルダ部材が、細径部位と太径部位とを漏斗状部位で一体化してなり、細径部位がランプホルダに着脱される取付部として構成されるとともに、漏斗状部位を導光空間部として太径部位が導光ブロック体を組み付ける導光ブロック組付部として構成される。電飾装置は、各導光ブロック体が、光透過性を有する合成樹脂材によって成形された多数本の棒状導光部材を互いに平行状態にして束ねてなり、各導光部材の導光空間部と対させるとともに他端側をホルダ部材の開口部に臨んで配列してなる。電飾装置は、各発光表示部が適宜の色調に着色された各導光部材を束ねてなりホルダ部材の導光ブロック組付部に組み付けられる導光ブロック体を備える。
【００１３】
また、電飾装置は、各導光ブロック体が、異なる色調に着色された多数本の導光部材を束ねて構成され、ホルダ部材の導光ブロック組付部に組み付けられる。
【００１４】
以上のように構成される本発明にかかる電飾装置においては、主電線を装飾体の外周部に掛け巡らせることにより、多数個の発光表示部が装飾体に適宜散りばめられるようになる。電飾装置においては、この状態で主電線が電源と接続されることによって光源が点灯或いは点滅して各発光表示部が発光して装飾体を電飾する。電飾装置においては、各光源から出射された出射光が取付部を介してランプホルダに組み付けられたホルダ部材の導光空間部内に放射される。電飾装置においては、出射光がホルダ部材の導光ブロック組付部に組み付けられた導光ブロック体に対して各導光部材の受光端部から内部へとそれぞれ効率的に導光される。電飾装置においては、ホルダ部材の開口部に配列された各導光部材の発光端部から出射光が露光することによって各発光表示部が発光して装飾体の電飾が行われるようにする。電飾装置においては、光源から出射された出射光を適宜の色調に着色された各導光部材内を導光して発光端部から露光することにより、各発光表示部において光源の出射光の色調に制限されない複数色の電飾が行われる。
【００１５】
電飾装置は、各発光表示部が適宜の色調に着色された各導光部材を束ねてなる導光ブロック体を備えることによって、各発光表示部毎にそれぞれ異なる色調で発光して電飾が行われるようにする。また、電飾装置は、導光ブロック体が異なる色調に着色した多数本の各導光部材を束ねて構成されることにより、各発光表示部においてそれぞれ複数色の発光による電飾が行われるようにする。
【発明の効果】
【００１６】
以上のように構成される本発明にかかる電飾装置によれば、従来の電飾装置と同様に装飾体の外周部に掛け巡らせることによって多数個の発光表示部を散りばめるように配置するとともに、これら発光表示部が任意に組合せが可能な複数の色調で発光することによって極めて特徴的な電飾が行われるようにする。電飾装置によれば、発光色を異にする複数種の光源を取りそろえる面倒が無く、またその種類にも制限されずに多色の電飾を行うことを可能とする。電飾装置によれば、各発光表示部に光源の非点灯時においても適宜の色調に着色された導光部材が備えられることによって、表示効果が保持されるようになる。
【００１７】
電飾装置によれば、光源から出射された出射光を各導光部材によって導光することで大型かつ明るい発光表示部を構成することが可能であり、多色化とも相まって装飾体に対する電飾効果を一層高める。電飾装置によれば、光源数を増やすことなく多色化を図ることで、低コスト、低電力消費化が図られるとともに信頼性の向上が図られる。
【発明を実施するための最良の形態】
【００１８】
以下、本発明の実施の形態として図面に示した電飾装置１について詳細に説明する。電飾装置１は、図１に示すように撚り合わせた一対の主電線２ａ、２ｂ（以下、主電線２と総称する。）の一端側に電池３を内蔵したコントローラ４が設けられ、主電線２に適宜の間隔を以って互いに直列に接続された詳細を後述する多数個の発光表示部５ａ乃至５ｎ（以下、特に個別に説明する場合を除いて発光表示部５と総称する。）を設けてなる。電飾装置１は、所定の長さを有する主電線２を、例えば図示しないクリスマスリースの外周部に掛け巡らせることによって、各発光表示部５がこのクリスマスリースに適宜散りばめられるようにする。
【００１９】
なお、電飾装置１は、電池３を電源としてコントローラ４が外部から目立たないようにしてクリスマスリース内に設けられるようにして用いられる。電飾装置１は、例えばクリスマスリースよりも大型のクリスマスツリー用として用いる場合に、コントローラ４内に電源コンバータを内蔵するとともに図１に鎖線で示すようにコンセントを引き出して商用電源と接続して用いるようにしてもよい。電池３については、例えばコントローラ４に充電端子を設けて充電が可能な二次電池を用いるようにしてもよい。
【００２０】
コントローラ４には、電源スイッチ６や詳細を後述する各発光表示部５の輝度調整を行うためのボリューム７が設けられるコントローラ４には、内部に電池３と各発光表示部５との接続状態を切り換えることによって、各発光表示部５の点灯状態を制御するタイマ或いはサーモスタット等の制御器が設けられている。例えば、タイマは、一定の時間間隔で主電線２を断接することによって、各発光表示部５の点灯状態と消灯状態を切り換える。サーモスタットは、各発光表示部５がある時間点灯状態を保持されて所定の温度まで上昇したことを検出して主電線２の断接を行い、各発光表示部５の点灯状態と消灯状態を切り換える。
【００２１】
各発光表示部５は、図２に示すように、小型光源の発光ダイオード８と、この発光ダイオード８を保持するランプホルダ９と、このランプホルダ９に対して着脱自在なホルダ部材１０と、このホルダ部材１０に組み付けられる導光ブロック体１１とから構成される。発光ダイオード８は、詳細を省略するが発光バルブ体１２と、この発光バルブ体１２の底面部から突出された一対の端子片１３ａ、１３ｂとからなり、長寿命、高輝度、低電力消費等の特徴を有している。なお、発光表示部５においては、例えば赤色、緑色、青色、白色等を発色する種々の発光ダイオード８が提供されているが、特に色指定はなく適宜のものが用いられる。また、発光表示部５においては、発光ダイオード８に代えて、例えば白熱豆電球等の適宜の小型光源を用いるようにしてもよい。
【００２２】
ランプホルダ９は、絶縁合成樹脂材によって略円筒状に成形され、発光ダイオード８が嵌合される嵌合孔１４が設けられるとともに、仕切壁部１５に端子片１３ａ、１３ｂが接続される一対の筒状端子１６ａ、１６ｂが嵌合孔１４に臨んで設けられている。ランプホルダ９は、筒状端子１６ａ、１６ｂが主電線２と接続される。ランプホルダ９には、外周部にホルダ部材１０を取り付けるための嵌合凹部１７が周回りに形成されている。
【００２３】
ランプホルダ９は、嵌合孔１４の開口部から発光ダイオード８が嵌合されることによって、図２に示すように発光ダイオード８の端子片１３ａ、１３ｂをそれぞれ相対する筒状端子１６ａ、１６ｂに嵌合させて電気的に接続するとともに発光バルブ体１２の外周部を保持して取り付ける。ランプホルダ９は、発光ダイオード８を、強く引き抜くことによって嵌合孔１４から取り出させるようにして交換を可能とする。なお、ランプホルダ９は、かかる形状に限定されるものでは無いことは勿論である。ランプホルダ９は、例えば光源として白熱豆電球を用いる場合に、筒状端子１６ａ、１６ｂに代えて嵌合孔１４の底部と内周部とに絶縁を保持した一対の端子片が設けられる。
【００２４】
ホルダ部材１０は、適宜に着色された絶縁合成樹脂材によって、細径部位と、太径部位と、これらを連設する漏斗状部位とが一体に形成されてなる。ホルダ部材１０は、細径部位が、ランプホルダ９との取付部１８を構成し、その内径がランプホルダ９の外径とほぼ等しくされるとともに内周壁に周回りにランプホルダ９側の嵌合凹部１７に対応して嵌合凸部１９が周回りに一体に形成されている。
【００２５】
ホルダ部材１０は、取付部１８をランプホルダ９の開口部側から嵌合することにより、図２に示すように嵌合凸部１９が嵌合凹部１７に相対嵌合されてランプホルダ９の外周部に組み付けられる。ホルダ部材１０は、この状態で発光バルブ体１２を取付部１８の内部に臨ませて発光ダイオード８を覆うようにしてランプホルダ９に組み付けられる。
【００２６】
ホルダ部材１０は、漏斗状部位が、その内部を進行する発光ダイオード８から出射された出射光が進行方向に対して次第に周囲に拡がるように導光する導光空間部２０を構成する。ホルダ部材１０は、太径部位が、発光体を構成する導光ブロック体１１が組み付けられるとともに開口部が発光面となる導光ブロック組付部２１を構成する。ホルダ部材１０は、大径の導光空間部２０を構成することによって、発光表示部５において大型の発光表示が行われるようにする。
【００２７】
ホルダ部材１０は、強く引抜き操作を行うことによって、嵌合凹部１７と嵌合凸部１９との嵌合状態が解除されてランプホルダ９からの取り外しが可能である。ホルダ部材１０は、これによって上述した発光ダイオード８の交換操作を可能とするとともに、後述するように発光色を異にする発光表示部５を主電線２に対して適宜入れ替え自在とする。
【００２８】
ホルダ部材１０は、例えば可撓性を有する合成樹脂材によって取付部１８をランプホルダ９の外周部にきつく嵌合される内径に成形することによって、上述した嵌合凸部１９とランプホルダ９側の嵌合凹部１７の構成を不要とする。ホルダ部材１０は、導光ブロック組付部２１において導光ブロック体１１を挟持することが可能となる。
【００２９】
導光ブロック体１１は、例えばアクリル樹脂やポリカーボネート樹脂等の光透過特性に優れた合成樹脂材を用いて棒状体に成形するとともに、この棒状体をホルダ部材１０の導光ブロック組付部２１の軸長とほぼ同長に切断してなる多数本の導光部材２２から構成される。導光ブロック体１１は、多数本の導光部材２２ａ乃至２２ｉ（以下、個別に説明する場合を除いて導光部材２２と総称する。）をテープ２３等の締結材によって、導光ブロック組付部２１の内径とほぼ等しい外径となるようにして束ねてなる。なお、導光ブロック体１１は、多数本の導光部材２２を束ねる際に透明な樹脂接着剤２６を充填することによって、束ねた状態がより強固に保持されるようにする。
【００３０】
導光ブロック体１１は、導光ブロック組付部２１の開口部側からその内部に組み付けられることによって、各導光部材２２の一端部をそれぞれ導光空間部２０を介して発光ダイオード８の出射面と対向させてこの発光ダイオード８から出射される出射光を内部へと導光する受光端部２４として構成する。また、導光ブロック体１１は、各導光部材２２の他端部が開口部において配列されて内部を内部を導光された出射光を露光する発光端部２５として構成する。
【００３１】
導光ブロック体１１は、導光部材２２を様々に束ねて発光表示部５において多様な発光形態が行われるようにする。導光ブロック体１１は、例えば図２及び図３に示すように、中心に大径の導光部材２２ａを配置し、この導光部材２２ａを囲んでやや小径の８本の導光部材２２ｂ乃至２２ｉを束ねるようにする。導光ブロック体１１は、各導光部材２２ａ乃至２２ｉ間に隙間が生じても特に問題は無いが、あまり大きな隙間が生じる場合に光漏れが生じて効率が低下することがある。したがって、導光ブロック体１１は、各導光部材２２の外周部を透明な樹脂接着剤２６に代えて遮光性を有する樹脂接着剤等によって固定するようにしてもよい。
【００３２】
導光部材２２は、上述した樹脂材を素材とすることによって、光透過率を低下させることなく適宜の色調に着色することが可能であり、受光端部２４から入射したある色調の入射光を発光端部２５から異なる色調の光に変換して露光させる。導光ブロック体１１は、図３に示すようにそれぞれ異なる色調に着色された多数本の導光部材２２を束ねることによって、各発光表示部５が複数の異なる色調で発光表示を行うことも可能である。発光表示部５は、図３において例えば中心の導光部材２２ａと外周部に配置した１本おきの第２導光部材２２ｂ、第４導光部材２２ｄ、第６導光部材２２ｆ、第８導光部材２２ｈをそれぞれ赤色とし、第３導光部材２２ｃ、第５導光部材２２ｅ、第７導光部材２２ｇ、第９導光部材２２ｉをそれぞれ緑色とすることによって、赤色と緑色の２色の発光が行われる。
【００３３】
電飾装置１においては、各発光表示部５が、全体としてある色調に着色された導光部材２２を束ねて構成した導光ブロック体１１を備えることによって、同一色の発光ダイオード８を用いるにもかかわらず主電線２に沿ってそれぞれ異なる色調で発光が行われるようになる。勿論、電飾装置１においては、発光表示部５の一部に上述した多色発光を行う導光ブロック体１１を備えることによって、さらに特徴ある電飾が行われるようになる。
【００３４】
電飾装置１においては、発光表示部５に適宜に着色したホルダ部材１０と導光部材２２を束ねた導体ブロック体１１とが備えられることによって、電源の投入状態において発光ダイオード８の発色光と異なる色調の電飾が行われる。電飾装置１においては、電源が切られて発光ダイオード８が消灯している状態においても、着色されたホルダ部材１０と導光ブロック体１１とによって発光表示部５における表示効果が保持される。さらに、電飾装置１においては、発光ダイオード８の点滅動作毎に発光表示部５の表示光の色合いが変化することで、特徴ある電飾が行われるようになる。
【００３５】
上述した発光表示部５は、ホルダ部材１０を円筒形に形成したがかかる形状に限定されるものでは無い。例えば図４に示した発光表示部３０は、少なくともホルダ部材１０の導光ブロック組付部３１が矩形に形成されるとともに、導光ブロック体１１を構成する各導光部材３２も矩形断面の棒状体を切断して形成してなる。さらに、発光表示部３０は、同図に示すように導光ブロック体１１を構成する各導光部材３２に適宜の着色を施すとともに、これら着色導光部材を開口部においてある所定の文字（同図ではＭ）等を表示するように配列してなる。したがって、電飾装置１においては、各発光表示部３０に表示される文字等により、例えば「Ｍｅｒｒｙ  Ｘｍａｓ」等の表示を行うことも可能とする。
【００３６】
電飾装置１においては、図１に示すように各発光表示部５を様々な形状のホルダ部材１０と、導光部材２２を適宜に配列した導光ブロック体１０を備えることによって、極めて多様の電飾を行うことを可能とする。電飾装置１においては、各発光表示部５が上述したように異なる色調に着色した導光部材２２を束ねた導光ブロック体１１を備えることにより、さらに効果的な電飾が行われるようにする。
【００３７】
なお、上述した各実施の形態においては、クリスマスリースやクリスマスツリー用の電飾装置に適用した場合を説明したが、かかる使用例に限定されるものでは無く、各種の装飾体に用いられることは勿論である。
【図面の簡単な説明】
【００３８】
【図１】実施の形態として示す電飾装置の要部構成図である。
【図２】発光表示部の縦断面図である。
【図３】発光表示部の正面図である。
【図４】他の発光表示部の正面図である。
【符号の説明】
【００３９】
１  電飾装置、２  主電線、３  電池、４  コントローラ、５  発光表示部、８  発光ダイオード、９  ランプホルダ、１０  ホルダ部材、１１  導光ブロック体、１８  取付部、１９  嵌合凸部、２０  導光空間部、２１  導光ブロック組付部、２２  導光部材、２３  テープ、２４  受光端部、２５  発光端部、２６  接着剤
【図１】
2005085740.tif 000003
【図２】
2005085740.tif 000004
【図３】
2005085740.tif 000005
【図４】
2005085740.tif 000006